(57)【特許請求の範囲】
【請求項１】
発信側の電話装置からの呼び出しを受けると自動的に着信して応答用の音声メッセージを返送した後、発信側の電話装置から送られた音声メッセージを端末自体に録音する自動着信応答モードを設定可能な移動電話装置であって、
無線信号を送受信して無線通信を行う無線通信手段と、
自動着信応答モードをセットする自動着信制御手段と、
前記自動着信制御手段が自動着信応答モードをセットする際に、自動着信応答モードを解除するまでの時間を設定する設定手段と、
前記設定手段により設定された自動着信応答モードを解除するまでの時間に基づいて、前記自動着信制御手段によりセットされた自動着信応答モードを解除するまでの残り時間を計測する計時手段と、
自動着信応答モードがセットされた状態で発信側の電話装置からの呼び出しを受けると、前記計時手段により計測された自動着信応答モードを解除するまでの残り時間に応じた応答用の音声メッセージを作成するメッセージ作成手段と、
前記無線通信手段を制御して、前記メッセージ作成手段により作成された応答用の音声メッセージを発信側の電話装置に送信させる送信制御手段と、
前記送信制御手段が前記無線通信手段に応答用の音声メッセージを送信させた後、発信側の電話装置から送られた音声メッセージを録音する録音手段とを備え、
前記自動着信制御手段は、前記計時手段により計測された自動着信応答モードを解除するまでの残り時間がゼロとなり、自動着信応答モードを解除する時間が到来したことを検出すると、自動着信応答モードを解除する手段を備え、
さらに、前記移動電話装置が、
発信側の電話装置からの呼び出しを受けたことを通報する着信通報手段と、
自動着信応答モードがセットされている状態で発信側の電話装置からの呼び出しを受けると、前記録音手段が音声メッセージを録音したか否かを判別し、録音したと判別すると、回線切断後に前記着信通報手段を制御して呼び出しを受けたことを通報させ、録音していないと判別すると、前記自動着信制御手段が自動着信応答モードを解除する際に前記着信通報手段を制御して呼び出しを受けたことを通報させる通報制御手段を備える、
ことを特徴とする移動電話装置。
【請求項２】
前記録音手段は、自動着信応答モードがセットされている状態で呼び出しを受けると、呼出元である発信側の電話装置の電話番号を着信履歴として記録する手段を備える、
ことを特徴とする請求項１に記載の移動電話装置。
【請求項３】
前記録音手段が記録した着信履歴を表示する手段を備える、
ことを特徴とする請求項２に記載の移動電話装置。
【請求項４】
発信側の電話装置からの呼び出しを受けると自動的に着信して応答用の音声メッセージを返送した後、発信側の電話装置から送られた音声メッセージを端末自体に録音する自動着信応答モードを設定可能な移動電話装置の着信応答方法であって、
自動着信応答モードをセットする際に、自動着信応答モードを解除するまでの時間を設定して、自動着信応答モードを解除するまでの残り時間を計測し、自動着信応答モードがセットされている状態で発信側の電話装置からの呼び出しを受けると、自動着信応答モードを解除するまでの残り時間に応じた応答用の音声メッセージを作成し、作成した音声メッセージを発信側の電話装置に送信した後、発信側の電話装置から送られた音声メッセージを録音し、
自動着信応答モードがセットされている状態で発信側の電話装置からの呼び出しを受けると、発信側の電話装置から送られた音声メッセージを録音したか否かを判別し、録音したと判別すると、回線切断後に、呼び出しを受けたことを通報し、録音していないと判別すると、自動着信応答モードを解除する際に、呼び出しを受けたことを通報する、
ことを特徴とする移動電話装置の着信応答方法。
【発明の詳細な説明】
【０００１】
【発明の属する技術分野】
この発明は、発信者からの音声メッセージを端末自体に記録することができる移動電話装置に係り、特に、着信者の状況に応じた応答が可能な移動電話装置に関する。
【０００２】
【従来の技術】
携帯電話等の移動電話装置には、着信者が電話にでられない状況にあるときに、発信者からの伝言となる音声メッセージを記録する機能が備えられているものがある。そして、こうした移動電話装置には、着信側の端末自体に発信者からの音声メッセージを記録することができる機能を備えたものがある。
【０００３】
このような移動電話装置は、着信者が電話にでられないとき等に自動着信して、例えば「ただいま、電話に出る事が出来ません。”ピーッ”という発信音の後に、メッセージをお入れ下さい。」といった応答用のメッセージを発信者に伝えた後、発信者の用件を録音することができる。このような機能は、一般に、「伝言メモ機能」または「簡易留守録機能」と呼ばれている。
【０００４】
【発明が解決しようとする課題】
上記従来の移動電話装置は、着信者が電話にでられないときには、所定のメッセージを発信者に伝えて発信者からの伝言を録音するだけで、利便性に欠けていた。すなわち、発信者は、着信者の状況を判別することができず、伝言を録音した方がいいのか、或いは後からかけ直した方がいいのかを判断することが困難であった。
【０００５】
こうした端末自体に発信者の伝言を録音する場合には、録音時間に制限があるため、伝言内容が消去されることがあり、重要な用件を着信者に伝えるには不便であった。
【０００６】
この点、着信者が自動車を運転している場合に、「ただいま運転中ですので電話にでることができません。」といった応答用のメッセージを発信者に伝えることができる移動電話装置があるが、発信者は、いつになれば着信者と連絡を取ることができるようになるのかが分からず、不便であった。
【０００７】
この発明は、上記実状に鑑みてなされたものであり、着信者の状況に応じた応答を可能とし、利便性の高い移動電話装置を提供することを目的とする。
【０００８】
【課題を解決するための手段】
上記目的を達成するべく、この発明の第１の観点に係る移動電話装置は、
発信側の電話装置からの呼び出しを受けると自動的に着信して応答用の音声メッセージを返送した後、発信側の電話装置から送られた音声メッセージを端末自体に録音する自動着信応答モードを設定可能なものであって、
無線信号を送受信して無線通信を行う無線通信手段と、
自動着信応答モードをセットする自動着信制御手段と、
前記自動着信制御手段が自動着信応答モードをセットする際に、自動着信応答モードを解除するまでの時間を設定する設定手段と、
前記設定手段により設定された自動着信応答モードを解除するまでの時間に基づいて、前記自動着信制御手段によりセットされた自動着信応答モードを解除するまでの残り時間を計測する計時手段と、
自動着信応答モードがセットされた状態で発信側の電話装置からの呼び出しを受けると、前記計時手段により計測された自動着信応答モードを解除するまでの残り時間に応じた応答用の音声メッセージを作成するメッセージ作成手段と、
前記無線通信手段を制御して、前記メッセージ作成手段により作成された応答用の音声メッセージを発信側の電話装置に送信させる送信制御手段と、
前記送信制御手段が前記無線通信手段に応答用の音声メッセージを送信させた後、発信側の電話装置から送られた音声メッセージを録音する録音手段とを備え、
前記自動着信制御手段は、前記計時手段により計測された自動着信応答モードを解除するまでの残り時間がゼロとなり、自動着信応答モードを解除する時間が到来したことを検出すると、自動着信応答モードを解除する手段を備え、
さらに、前記移動電話装置が、
発信側の電話装置からの呼び出しを受けたことを通報する着信通報手段と、
自動着信応答モードがセットされている状態で発信側の電話装置からの呼び出しを受けると、前記録音手段が音声メッセージを録音したか否かを判別し、録音したと判別すると、回線切断後に前記着信通報手段を制御して呼び出しを受けたことを通報させ、録音していないと判別すると、前記自動着信制御手段が自動着信応答モードを解除する際に前記着信通報手段を制御して呼び出しを受けたことを通報させる通報制御手段を備える、
ことを特徴とする。
【０００９】
この発明によれば、自動着信応答モードをセットする際に、自動着信応答モードを解除するまでの時間を設定して、解除するまでの残り時間を計測し、自動着信応答モードがセットされている状態で発信側の電話装置からの呼び出しを受けると、自動着信応答モードを解除するまでの残り時間に応じた応答用のメッセージを作成して発信側の電話装置に送信することができる。
これにより、着信者の状況に応じた応答が可能となり、発信者が再び呼び出しを行う場合に、着信者を確実に呼び出して伝達内容を伝えることができるようになり、便利である。
加えて、重要な音声メッセージが録音された場合に、着信者を呼び出して伝達内容を伝えることができ、音声メッセージが録音されていなくても、呼び出しを受けて着信履歴が更新されたことなどを事後的に着信者に通報することができ、便利である。また、音声メッセージが録音された場合でも、回線切断後に呼び出しを受けたことを通報するので、着信者が電話で話す必要がなく、移動中などにおけるマナーを守ることができる。
【００１０】
また、前記録音手段は、自動着信応答モードがセットされている状態で呼び出しを受けると、呼出元である発信側の電話装置の電話番号を着信履歴として記録する手段を備えることが望ましい。さらに、前記録音手段が記録した着信履歴を表示する手段を備えてもよい。
【００１３】
また、この発明の第２の観点に係る移動電話装置の着信応答方法は、
発信側の電話装置からの呼び出しを受けると自動的に着信して応答用の音声メッセージを返送した後、発信側の電話装置から送られた音声メッセージを端末自体に録音する自動着信応答モードを設定可能な移動電話装置の着信応答方法であって、
自動着信応答モードをセットする際に、自動着信応答モードを解除するまでの時間を設定して、自動着信応答モードを解除するまでの残り時間を計測し、自動着信応答モードがセットされている状態で発信側の電話装置からの呼び出しを受けると、自動着信応答モードを解除するまでの残り時間に応じた応答用の音声メッセージを作成し、作成した音声メッセージを発信側の電話装置に送信した後、発信側の電話装置から送られた音声メッセージを録音し、
自動着信応答モードがセットされている状態で発信側の電話装置からの呼び出しを受けると、発信側の電話装置から送られた音声メッセージを録音したか否かを判別し、録音したと判別すると、回線切断後に、呼び出しを受けたことを通報し、録音していないと判別すると、自動着信応答モードを解除する際に、呼び出しを受けたことを通報する、
ことを特徴とする。
【００１４】
この発明によっても、自動着信応答モードがセットされている状態で発信側の電話装置からの呼び出しを受けると、自動着信応答モードを解除するまでの残り時間に応じた応答用のメッセージを作成して発信側の電話装置に送信することができる。
従って、着信者の状況に応じた応答が可能となり、発信者が再び着信者を呼び出す場合に、着信者を確実に呼び出して伝達内容を伝えることができ、便利である。
加えて、重要な音声メッセージが録音された場合に、着信者を呼び出して伝達内容を伝えることができ、音声メッセージが録音されていなくても、呼び出しを受けて着信履歴が更新されたことなどを事後的に着信者に通報することができ、便利である。また、音声メッセージを録音した場合でも、回線切断後に呼び出しを受けたことを通報するので、着信者が電話で話す必要がなく、移動中などにおけるマナーを守ることができる。
【００１６】
【発明の実施の形態】
以下に、図面を参照して、この発明の実施の形態に係る移動電話装置について詳細に説明する。
【００１７】
図１は、この発明の実施の形態に係る移動電話装置１００の構成を示す図である。
この移動電話装置１００は、ユーザからの指示により、自動着信応答モードを設定することができ、無線通信処理部１と、鳴動部２と、キー入力部３と、表示部４と、処理制御部５と、アンテナ６とを備えている。
なお、自動着信応答モードは、発信側の電話装置からの呼び出しを受けた際に、自動的に着信して応答用の音声メッセージを返送した後、発信側の電話装置から送られた音声メッセージを所定の時間分だけ録音するモードである。
【００１８】
無線通信処理部１は、ＲＦ（Radio Frequency）変調器、ＲＦ復調器等から構成され、移動電話通信網の基地局との間で無線信号を送受信して無線通信を行うためのものである。
【００１９】
鳴動部２は、スピーカ、バイブレータ等から構成され、着信音を出力したり、この移動電話装置１００を振動させることにより、ユーザに着信を通知するためのものである。
【００２０】
キー入力部３は、キーパッド等から構成される、この移動電話装置１００への指示入力部である。
【００２１】
表示部４は、ＬＣＤ（Liquid Crystal Display）等から構成され、処理制御部５の制御に従って、文字や図形等の画像を表示するためのものである。
【００２２】
処理制御部５は、ＲＯＭ（Read Only Memory）及びＲＡＭ（Random Access  Memory）を備えたＣＰＵ（Central Processing Unit）等から構成され、この移動電話装置１００全体の動作を制御するためのものであり、通信制御部１０と、報知制御部１１と、自動着信処理部１２とを備えている。
【００２３】
通信制御部１０は、無線通信処理部１を制御して、無線信号を送出するタイミングを規定したり、無線通信処理部１が取り出した信号に応じた通知を、報知制御部１１や自動着信処理部１２に送るためのものである。
【００２４】
報知制御部１１は、鳴動部２を制御して、発信側の電話装置から呼び出しがあったことをユーザに通知させるためのものであり、この移動電話装置１００が自動着信応答モードにある時には、記録処理部２１によりメッセージが録音されたか否かにより、鳴動部２の動作を切り換える。
すなわち、記録処理部２１が発信側の電話装置から送られたメッセージを録音すると、報知制御部１１は、回線切断後に、鳴動部２を動作させて、着信したことをユーザに通知させる。一方、記録処理部２１がメッセージを録音することなく回線が切断されると、報知制御部１１は、自動着信応答モードが解除される際に、鳴動部２を動作させて、着信履歴があることをユーザに通知させる。
【００２５】
自動着信処理部１２は、自動着信応答モードに関する処理を実行するためのものであり、メッセージ作成処理部２０と、記録処理部２１と、計時処理部２２とを備えている。
【００２６】
メッセージ作成処理部２０は、発信側の電話装置から呼び出しを受けたときに返送する応答用の音声メッセージを作成するためのものであり、計時処理部２２が計測する自動着信応答モードを解除するまでの残り時間に応じた音声メッセージを作成する。
【００２７】
記録処理部２１は、メッセージ作成処理部２０が作成した応答用の音声メッセージを発信側の電話装置に返送した後、発信側の電話装置から送られた音声メッセージを録音したり、発信側の電話装置の電話番号を記録して着信履歴を作成したりするためのものである。
【００２８】
計時処理部２２は、自動着信応答モードを解除するまでの残り時間を計測するためのものであり、この移動電話装置１００において自動着信応答モードをセットする際にユーザがキー入力部３から入力した、自動着信応答モードを解除するまでの時間を、分単位でカウントダウンする。
【００２９】
以下に、上記構成を有する移動電話装置１００の動作について説明する。
この移動電話装置１００は、発信者に着信者の状況を伝達できるメッセージを送信して、発信者の電話装置から送られる音声メッセージを録音することで、着信者が電話にでられない状況下で柔軟に対応することができる装置である。
【００３０】
以下では、着信者が電車等の公共交通機関を利用して移動する場合に、”移動モード”という自動着信応答モードをセットする場合を例として説明する。
【００３１】
この移動電話装置１００は、電源が投入されて通信サービス圏内にあるときに、ユーザがキー入力部３を操作することにより、”移動モード”をセットすることができ、”移動モード”をセットする際、このモードを解除して通常の待ち受けモードとなるまでの時間を設定する。
【００３２】
例えば、着信者が渋谷駅から鴨居駅まで電車で移動する際に、キー入力部３を操作して”移動モード”をセットすると共に、この”移動モード”を解除するまでの時間として７０（分）を設定したとする。
【００３３】
自動着信処理部１２は、キー入力部３からの入力に応じて、移動電話装置１００を”移動モード”とし、計時処理部２２にキー入力部３により指定された”移動モード”を解除するまでの時間７０（分）を設定する。
【００３４】
計時処理部２２は、移動電話装置１００が”移動モード”となると、着信者がキー入力部３により入力した”移動モード”を解除するまでの時間のカウントダウンを開始し、”移動モード”を解除するまでの残り時間を計測する。
そして、例えば、着信者が移動電話装置１００を”移動モード”としてから３０分が経過した後、移動電話装置１００が呼び出しを受けると、記録処理部２１は、発信側の電話装置の電話番号を記録して着信履歴を更新し、メッセージ作成処理部２０は、自動応答のための音声メッセージを作成する。この際、メッセージ作成処理部２０は、計時処理部２２が計測中の”移動モード”を解除するまでの残り時間を読み取り、その残り時間に応じた音声メッセージを作成する。
【００３５】
例えば、メッセージ作成処理部２０は、”移動モード”を解除するまでの残り時間が４０分であると特定すると、「ただいま移動中です。４０分で目的地に着きます。お急ぎの方は用件を発信音の後に、そうでない方は後ほどおかけ直し下さい。」といった応答メッセージを作成する。
メッセージ作成処理部２０は、作成した応答用の音声メッセージを通信制御部１０に送る。通信制御部１０は、メッセージ作成処理部２０から応答用の音声メッセージを受けると、無線通信処理部１を制御して、無線通信により応答用のメッセージを発信側の電話装置に返送させる。
これにより、移動電話装置１００は、着信者の状況に応じた応答をすることができ、発信者は、着信者が移動中で電話にでられないこと、及び電話にでられるようになるまでの時間を知ることができ、着信者との連絡を取りやすくなる。
【００３６】
この後、記録処理部２１は、発信側の電話装置から送られた音声メッセージを伝言として録音する。
そして、回線が切断されると、自動着信処理部１２は、記録処理部２１が発信側の電話装置から送られた音声メッセージを録音したか否かを判別する。
【００３７】
自動着信処理部１２は、記録処理部２１が音声メッセージを録音していない、すなわち、記録処理部２１が録音を開始する以前に発信側の電話装置により回線が切断されたと判別すると、報知制御部１１に鳴動部２を動作させることなく待機させる。この場合、自動着信処理部１２は、計時処理部２２の計測により”移動モード”を解除する時間が到来したことを検出した時点で、着信履歴が更新されていることを着信者に通知するため、報知制御部１１に鳴動部２を動作させるよう指示する。
一方、記録処理部２１は、音声メッセージを録音したと判別すると、回線切断後、報知制御部１１に鳴動部２を動作させるように指示する。
【００３８】
報知制御部１１は、記録処理部２１から鳴動部２を動作させる旨の指示を受けると、鳴動部２を動作させて着信音を出力させたり、バイブレーションを発生させたりする。
これにより、伝言としての音声メッセージが録音された場合に、着信者に通知することができ、重要な伝達内容を着信者に伝えることができる。また、この場合にも、音声メッセージが録音された後に鳴動部２が動作するので、着信者が電話で話すことはなく、移動中の電車内等におけるマナーを守ることができる。
【００３９】
ここで、自動着信処理部１２が”移動モード”を解除する時間が到来したことを検出した時点で報知制御部１１に鳴動部２を動作させるよう指示した場合、ユーザは、キー入力部３を操作して、着信履歴を表示するよう処理制御部５に指示することができる。
処理制御部５は、キー入力部３からの指示に応じて、記録処理部２１が更新した着信履歴を表示部４に表示させる。
【００４０】
また、自動着信処理部１２は、計時処理部２２の計測により”移動モード”を解除する時間が到来したことを検出すると、”移動モード”を解除して通常の待ち受けモードとする。
この後、発信者が発信側の電話装置から移動電話装置１００を呼び出すと、鳴動部２が着信音を出力したり、バイブレーションを発生したりといった、通常の呼び出しのための処理を実行する。
これにより、自動着信応答モードがセットされている間に移動電話装置１００を呼び出した発信者は、自動着信応答モードが解除される時間を見計らって再び移動電話装置１００を呼び出すことができ、着信者が電話にでる可能性が高く、伝達内容を伝えやすくなる。
【００４１】
以上説明したように、この発明によれば、自動着信応答モードをセットする際に、その自動着信応答モードを解除するまでの時間を設定し、呼び出しを受けて自動的に着信すると、自動着信応答モードを解除するまでの残り時間に応じたメッセージを作成して返送することができる。これにより、着信者の状況に応じた応答が可能となり、発信者が着信者と連絡を取りやすくなり、伝達内容を伝えやすくなる。
【００４２】
また、この発明によれば、伝言としての音声メッセージが録音された場合にのみ、着信後に鳴動部２を動作させることになるので、重要なメッセージを優先して伝達することができる。また、記録処理部２１が音声メッセージを録音しなかった場合には、自動着信応答モードを解除するときに一括して鳴動部２による呼び出し動作をするので、鳴動部２の動作回数が減少し、消費電力を低減することもできる。
さらに、音声メッセージが録音された場合にも、回線切断後、すなわち、録音が完了した後に鳴動部２が動作するので、電話で話すことがなく、移動中におけるマナーを守ることができる。
このように、この発明によれば、利便性の高い移動電話装置を提供することができる。
【００４３】
上記実施の形態では、自動着信応答モードとして、着信者が移動中である場合に利用する”移動モード”について説明したが、これに限定されず、様々なモードについて応用することができる。すなわち、メッセージ作成処理部２０が作成する音声メッセージを変更することにより、着信者が会議中である場合に利用する自動着信応答モードとして、”会議モード”にしたり、着信者がプライベートな理由で電話にでない場合に利用する自動着信応答モードとして、”プライベートモード”にしたりすることができる。
【００４４】
【発明の効果】
以上の説明のように、この発明は、自動着信応答モードを解除するまでの時間を指定して自動着信応答モードをセットすることで、発信者に着信者の状況に応じた応答をすることができ、利便性の高い移動電話装置を提供することができる。
【図面の簡単な説明】
【図１】この発明の実施の形態に係る移動電話装置の構成を示す図である。
【符号の説明】
１    無線通信処理部
２    鳴動部
３    キー入力部
４    表示部
５    処理制御部
６    アンテナ
１０    通信制御部
１１    報知制御部
１２    自動着信処理部
２０    メッセージ作成処理部
２１    記録処理部
２２    計時処理部
１００    移動電話装置
【図１】
0003731402.tif 000002